(57)【要約】【目的】  香りの発生器に関し、香料の補給と香りの発生と停止並びに発香量の調節を、形状記憶合金コイルへ通電する電力制御によって一元的に行い、緻密な香りのコントロールを簡素な機構で簡便に行える形状記憶合金加熱制御による自給式香り発生器を提供する。【構成】  発香器２１の上部に気化室２２を設け、下部に加熱穴２３を設け、通電端子と温度センサー５を取り付けた形状記憶合金コイル１を挿入して、電力を印加を制御して自己内部抵抗による発熱及び電力遮断による冷却で、形状記憶合金コイル１を形状記憶動作をさせ駆動源として、ロッド７とレバー１１を介してポンプユニット５３を操作し香料を補給し、且つ発香器２１の蓋を開閉し、また自己発熱温度を調節制御して香りの気化放出量の調節を行う。【選択図】            図１０
2005034585.tif 000002
【特許請求の範囲】
【請求項１】
香料容器の上部にジョイントを介してポンプユニットを取付、そのポンプヘッドのノズルから、香りの放出を行う部位として設けた発香器内に香料を補給できるようにし、発香器の上部に気化室を形成し下部に加熱穴を設けて、加熱穴内壁に接して絶縁層を設け、温度センサーを取付た形状記憶合金コイルに通電できるようにして加熱穴内空部に装着し、その片側端部を固定して温度変化により形状記憶動作ができるようにして他の端部に連動作動させるロッドの端部を取付け、ロッドの他端部を支点ピンで揺動可能に取り付けたレバーの一端部に接続し、レバーを揺動させることによりプッシュリンクを上下作動させるよう連結し、プッシュリンクは上下作動するとき気化室上部に設けた蓋を蓋支点を中心に揺動させて発香器の開閉を行い、また、バネを介してポンプユニットのポンプヘッドを上下作動させ香料容器内の香料を気化室内に送出補給できるようにし、気化室内底部に香料を浸透するシートを設置して香料を含浸し、このシート上面の直上部位の気化室内壁部にオーバーフロー孔を設けてジョイントの側面に設けたリターン孔に連通し気化室内余剰香料を香料容器に戻すようにして、形状記憶合金コイルへの電力供給量を調節する制御部を設け、香りの発生、停止、発生量の調整と気化室への香料の補給を行えるようにしたことを特徴とする形状記憶合金加熱制御による自給式香り発生器。
【発明の詳細な説明】
【発明の詳細な説明】
【産業上の利用分野】
【００１】  この発明は、香りの発生・停止・発生量の調節を簡便で素早く行えるにし、香りの効果的活用を容易に行える装置を提供し、快適な香り環境創出に寄与する。
【背景技術】
【００２】  これまでの香発生器は香料容器の蓋を取り外して放置し、自然に任せて香りを拡散するものが多く香りの発生量や香りの発生・停止を簡便に制御しようとするものがなかった。  そこで出願人は以前に、特開平０９−０１０２９０および特開平０９−２７１５１３としてペルチェ素子の加熱・冷却作用により香料を入れた発香容器を加熱し発香容器から形状記憶合金コイルへ温度を伝熱し形状記憶伸縮を行わしめ発香容器の蓋を開閉し、香りの発香又は停止を行う技術を特許出願している。
【発明が解決しようとする課題】
【００３】  従来技術のペルテェ素子による発香容器の加熱・形状記憶合金コイルへの熱伝導を利用する技術においては、まず発香容器と内容香料の温度が上昇しつつ形状記憶合金コイルへ熱伝導するので、発香容器と内容香料の温度が形状記憶合金コイルの温度上昇時の変態温度を超えるまでに時間がかかり、更に形状記憶合金コイル全体が温度上昇時の変態温度を超えるまでの熱伝導を得るのに時間を要するため香りの発香指令から形状記憶合金コイルが伸長して発香容器の蓋を開け香りを発するまでに時間差が大きいものとなっている。
香りの利用が多様化しており、香りの効果的活用が強く望まれてきており、香りのコントロールを簡便に低価格で行える技術が必要となっている。
【課題を解決するための手段】
【００４】  発香器２１の背面部に延長して設けた容器支持アーム２６部に設けたグランド孔２８側から同芯の接続孔２７を通して段付き円筒状のジョイント４１を差込み、パッキン４６を挟んでナット４７で下部固定ネジ４２部にネジ締めし固定し、更に下方にパッキン４８を挟んで内側ネジ部を持つ鍔付き円筒状の容器ジョイント４９に回動可能にキャップ５１を装着して下部固定ネジ４２部に容器ジョイント４９をネジ締め締結する。
容器ジョイント４９の下面にリング状パッキン５０を挟んで香料３５ａを入れた香料容器５２を前記キャップ５１で締結する。
段付き円筒状のジョイント４１は上部外形にポンプ接続ネジ４３を設け円筒内を内孔４５とし段付き部側面から細径のリターン孔４４を内孔４５に貫通して設け、段付き下部外形に前記の下部固定ネジ４２を設けている。
ポンプユニット５３は、本体部の下部に吸入管５４ａと上部に吐出管５４ｂを持ち、その吸入管５４ａ部を香料容器５２内底部付近迄差込み、ジョイント４１のポンプ接続ネジ４３部にポンプユニット本体部を締結する。
側面にノズル５６と上面に座孔５７を持つポンプヘッド５５を吐出管５４ｂ部に取付る。
ポンプヘッド５５を下方に押し下げると、吐出管５４ｂが押し下げられポンプユニット５３は、吸入管５４ａからポンプ内に吸い込んだ香料３５ａを吐出管５４ｂ先端部から吐出し、ポンプヘッド５５内からノズル５６を経て気化室２２内へ送出される。
このポンプユニツトの機構は液体洗剤のポンプや化粧品スプレーなどとして多種市販されており市販品を活用してもよい。
発香器２１の上面の一部にノズル案内板部３２を形成し、他を開口して香り放出口とし、ノズル案内板部３２にノズル孔３３を設けノズル５６を差込み上下動できるようにする。
発香器２１の上部内側に気化室２２を設けて、気化室内底部に香料を浸透するシート３４を設置して補給香料３５ｂを含浸し、このシート３４上面の直上部位の気化室内壁部からグランド孔２８に通じるオーバーフロー孔３１を設ける。
気化室２２内の余剰香料はオーバーフロー孔３１からジョイント４１の側面に設けたリターン孔４４を通って内孔４５から香料容器５２内に戻るようにする。
発香器２１の気化室２２の底面より下方の左右に発香器２１を貫通する加熱穴２３を設けて、左右の加熱穴の対向面全長に切り欠きを施しスリット２４とし、スリット２４の背面側端部付近に固定カット２５を施す。
加熱穴２３内壁全周に接して電気的に絶縁性で熱伝導性の良い絶縁層２３ａを設ける。
２対の形状記憶合金コイル１を対面して配置し、背面側一端を固定側１ａとしてコイル外形方向にＬ型に曲げ、他端を駆動側として直径方向に曲げロッド取付部１ｂとし、更に延長し対面側の形状記憶合金コイルと接続できるようにする。
形状記憶合金コイル１は、２方向形状記憶とし低温時に縮小状態とし、高温時にコイル長さ方向に伸長状態に形状記憶する。  但し、１方向形状記憶合金に補助スプリングなどを配して２方向動作を行ってもよい。
ロッド７の端部にロッドピン孔９と他端部にコイル接続孔８を設ける。
形状記憶合金コイル１の中心部長さ方向にロッド７を配置しコイル接続孔８にロッド取付部１ｂを通して連結し、対向する加熱穴２３内にそれぞれ装着し形状記憶合金コイル端をスリット２４から外方に取り出す。
形状記憶合金コイル１の固定側１ａ部に固定プラグ６を取付てスリット２４に設けた固定カット２５に差込み固定し、左右の固定側１ａ部の先端部にそれぞれ通電端子２、通電端子３を取り付ける。
形状記憶合金コイル１のロッド取付部１ｂの延長部にスリット２４にガイドされ移動できるスライダ１０を取付て、更に対抗する先端部を導電性のセンサベース４で接続して通電端子２及び通電端子３から左右の形状記憶合金コイル間に通電できるようにする。
センサベース４に形状記憶合金コイル１の温度を安定してセンシングできるよう温度センサー５を取付る。
発香器２１の背面側の容器支持アーム２６部に駆動支点孔３０を設けて両側に対向してＬ字形状のレバー１１を支点ピン１３で揺動可能に取り付ける。
レバー１１の一辺先端部に作用孔１５を設けロッドピン１６でロッド７のピン孔９と連結する。
レバー１１の他の辺先端部にレバーピン１８を固着し先端を対向側へ突出し、鍔付き形状のカラーリング６６を回動可能に取り付け、プッシュリンク６１の側方に設けたリンク孔６５に回動可能にはめ込む。
プッシュリンク６１はコの字型形状で接続辺を上部にして両辺を左右下向きに配置し、接続辺下面にバネ座６２を設け、両辺の上部側に蓋リンク孔６３と下部側に前記リンク孔６５を設けている。
プッシュリンク６１はポンプヘッド５５上面の座孔５７に設置したバネ５８で上辺のバネ座６２を支持され、左右両辺下部を容器支持アーム２６の左右に凹形状に設けたリンクガイド２９部に案内され上下に作動できる。
プッシュリンク６１の蓋リンク孔６３に鍔付き形状の蓋カラーリング６４を回動可能にはめ込み、蓋アーム７３の先端部に蓋ピン７７を取付て先端を対向側へ突出し、蓋カラーリング６４を回動可能に支持する。
気化室２２の上部位置に気化室開口部を密閉できる発香器パッキン７２を下面に取り付けた蓋７１を設け、蓋７１の背面側に蓋アーム７３を延長して設け、延長中間部に蓋支点軸７５と先端部に前記蓋ピン７７を取付る。
発香器２１の背面側にブロック支点孔７８を持つ支点ブロック７９を固着し、ブロック支点孔７８に蓋支点軸７５を通し蓋７１を揺動可能に取り付ける。
２方向形状記憶合金コイルを用いるとき、低温時の形状記憶と高温時の形状記憶ができ、適正温度範囲での温度制御により形状変化するのを繰り返し駆動力として活用することができる。
本体ケース８１内に制御部８２を設け、前記、香料容器部と発香器部などを組み立て本体ケース８１内に配置し、香発生器を構成する。
形状記憶合金コイル１に制御部８２から電力を加え、形状記憶合金コイル自己内部抵抗で発熱させ、温度センサ５により発熱温度をセンシングしつつ、昇温時形状記憶変態温度以上の設定温度に制御してコイルを伸長させる。  香料は加熱に適した温度範囲で設定温度が高いほど発香量を増加する傾向があるので温度設定を制御することにより発香量を調節できる。  また、通電を停止してコイルを放熱させると、形状記憶合金コイル１の温度下降時の形状記憶変態温度以下に達してコイルは急速に縮小する。
形状記憶合金コイル１の発熱温度を制御して保持すると、コイル温度が絶縁層２３ａを経て発香器の下部に伝熱され、次第に気化室２２底部から側壁へ伝搬され、香料を含んで気化室２２底部に設置されシート３４を加熱し、香料が気化される。
形状記憶合金コイル１の発熱温度をセンサー５によりセンシングし、制御部８２でコントロールして香料の気化量を変化させることができる。
香りの発香と停止及び香りの発香量調節と香料の補給を形状記憶合金コイル１への印加電力を制御して行えるようにしたことを特徴とする形状記憶合金加熱制御による自給式香り発生器である。
【作用】
【００５】  本発明を使用するとき、香料は一般的に加熱に適した温度範囲で設定温度が高いほど発香量が増加する傾向があり、発香量を想定して加熱温度を制御部で設定し、形状記憶合金コイル１に通電端子２及び通電端子３から通電する。
形状記憶合金コイル１は印可電力に応じて自己内部抵抗で素早く発熱するので、温度センサー５でセンシングし設定温度に保持するよう制御部８２で自動的にコントロールする。
２方向形状記憶合金コイルは、常温では低温時形状記憶状態（図１に示す）で、加熱すると、昇温時形状記憶変態温度に達する以前は形状が保持され、変態温度を越えると急激に形状変化し高温時形状記憶状態（図２に示す）になる。
高温状態から通電を停止すると、２方向形状記憶合金コイルは冷却していき下降時形状記憶変態温度に低下する以前は形状が保持され、変態温度を越え冷却すると急激に形状変化し低温時形状記憶状態（図１に示す）になる。
制御部８２による形状記憶合金コイル１への印可電力の制御により、形状記憶合金コイル１が伸縮動作され、連結されたロッド７を水平軸方向に駆動して、ロッドピン１６で連結されたＬ字形状のレバー１１を揺動作動させ、レバー１１のレバーピン１８で運動方向を垂直方向に変換し、ブッシュリンク６１を上下方向に作動させる。
ブッシュリンク６１の上下動により、蓋カラーリング６４を上下動し、蓋７１を蓋支点軸を中心に上下揺動運動させ発香器の蓋開閉動作を行う。
また、ブッシュリンク６１の上下動は下降時にバネ５８を介してポンプヘッド５５を加圧し押し下げ、香料を気化室内に送出補給し、上昇時にはポンプユニット５３の内部スプリングで吐出管５４ｂ及びポンプヘッドを上昇復帰しポンプユニット５３内部へ吸入管５４ａから香料を吸入し次回の送出が準備される。
バネ５８は、ポンプユニット５３起動抵抗を吸収し、押下げ作動時の速度向上の効果があり、且つ、ポンプユニット５３の作動ストロークと蓋７１開閉ストロークの差を吸収する。
気化室内底部に香料を含浸する薄厚のシートを設置し、余剰香料を香料容器にオーバーフロー回収することで、主として気化する分だけを加熱することができ香料の劣化を低減するとともに、少量の香料をシートへの浸透により拡張して加熱気化でき、香りの立ち上がりを素早く行え熱量損失を少なくできる。
上記のように構成することにより、形状記憶合金コイル１への電力制御のみで香料の発香器への補給、香りの発生（蓋の開放）、香りの停止（蓋の閉止）、発香料の調節などが一元的に行うことができ、素早い香りの発生が可能で、極めて簡便な機構とすることができる。
【実施例】
【００６】  以下、本発明の実施例を述べる。
耐熱性及び耐油性のあるセラミックスやテフロンを素材として段付き円筒状のジョイント４１を設け、その上部外形にポンプ接続ネジ４３を設け、円筒内を内孔４５とし、段付き部側面から細径のリターン孔４４を内孔４５に貫通して設け、段付き部外径を後述するグランド孔２８の内径に密接する径として、その下部を細径として後述する接続孔２７の内径に密接する径として外形に下部固定ネジ４２を設ける。
発香器２１の背面部に延長して容器支持アーム２６部を設け、その容器支持アーム２６の先端部に設けたグランド孔２８側から同芯の接続孔２７を通してジョイント４１を差込み、パッキン４６を挟んでナット４７でジョイント４１の下部固定ネジ４２部にネジ締めし固定し、更に下方にパッキン４８を挟んで内側ネジ部を持つ鍔付き円筒状の容器ジョイント４９に回動可能に容器接続ネジを持つキャップ５１を装着してジョイント４１の下部固定ネジ４２部に容器ジョイント４９をネジ締め締結する。
容器ジョイント４９の下面にリング状パッキン５０を挟んで香料３５ａを入れた香料容器５２を前記キャップ５１でネジ締め締結する。
パッキン類は香料により膨潤することが少ない材質としてテフロン素材を用いている。
容器ジョイント４９は香料により劣化しにくい材質を選定するとしてセラミックスやステンレス鋼やテフロン材等とする。
ポンプユニット５３は、本体部の下部に吸入管５４ａと上部に吐出管５４ｂを持ち、その吸入管５４ａ部をジョイント４１の内孔４５を通して香料容器５２内に差込みジョイント４１のポンプ接続ネジ４３部にポンプユニット本体部を締結する。
側面にノズル５６と上面に座孔５７を持つテフロン素材のポンプヘッド５５を吐出管５４ｂ部に上部より取付る。
ポンプヘッド５５を下方に押し下げると、吐出管５４ｂが押し下げられポンプユニット５３は吸入管５４ａからポンプ内に吸い込んだ香料３５ａを、吐出管５４ｂ先端部から吐出し、ポンプヘッド５５内から下方にＬ字形状のノズル５６を経て送出される。
このポンプユニツトの機構は液体洗剤のポンプや化粧品スプレーなどとして多種市販されており市販品の内蔵スプリングを香発生器用に変更して活用してもよい。
発香器２１の上面の背面方向上部にノズル案内板部３２を形成し、他を気化室の香り放出口として、ノズル案内板部３２にノズル孔３３を設け、ノズル孔３３の内径は前記ノズル５６の外形が密接しながら上下動できるようにする。
発香器２１は熱伝導性の良いアルミ素材などを用い、上部内側に気化室２２を設けて、気化室内底部に香料を浸透するシート３４を設置して補給香料３５ｂを含浸し、このシート３４上面の直上部位の気化室内壁部からグランド孔２８に通じるオーバーフロー孔３１を設ける。
気化室２２内の余剰香料はオーバーフロー孔３１からジョイント４１の側面に設けたリターン孔４４を通って内孔４５から香料容器５２内に戻るようにする。
発香器２１の気化室２２の底面より下方の左右に発香器２１を正面から背面に貫通する加熱穴２３を設けて、左右の加熱穴の対向面全長に切り欠きを施しスリット２４とし、スリット２４の背面側の端部付近に固定カット２５を施す。
加熱穴２３内壁全周に接して電気的に絶縁性で熱伝導性のあるセラミックスや耐熱プラスチック素材やテフロンコーティングなどで絶縁層２３ａを設ける。
２対の形状記憶合金コイル１を対面して配置し、背面側一端を固定側１ａとしてコイル外形方向にＬ型に曲げ、他端を駆動側として直径方向に曲げロッド取付部１ｂとし、更に延長し対面側の形状記憶合金コイルと接続できるようにする。
ロッド７の端部にロッドピン孔９と他端部にコイル接続孔８を設ける。
コイル接続孔８はロッド軸端部方向にＵ型の開放溝加工後ロッド取付部１ｂを通して後にカシメなどで形成しロッド取付部１ｂと接続する。
形状記憶合金コイル１の中心部長さ方向にロッド７を配置しコイル接続孔８にロッド取付部１ｂを通して連結し、対向する加熱穴２３内にそれぞれ装着し形状記憶合金コイル端をスリット２４から外方に取り出す。
形状記憶合金コイル１の固定側１ａ部に電気絶縁性の固定プラグ６を取付てスリット２４に設けた固定カット２５に差込み固定し、左右の固定側１ａ部の先端部にそれぞれ通電端子２と通電端子３を取り付ける。
形状記憶合金コイル１のロッド取付部１ｂの延長部にスリット２４にガイドされ移動できる電気絶縁性のスライダ１０を取付て、更に対抗する先端部を導電性のセンサベース４で接続して通電端子２及び通電端子３から左右の形状記憶合金コイル間に通電できるようにする。
センサベース４に形状記憶合金コイル１の温度を安定してセンシングできるよう温度センサー５を取付る。
発香器２１の背面側の容器支持アー厶２６部に駆動支点孔３０を設けて両側に対向してＬ字形状のレバー１１を支点孔１２を通して支点ピン１３で揺動可能に取り付ける。
レバー１１の一辺先端部に作用孔１５を設けロッドピン１６でロッド７のピン孔９と連結する。
レバー１１の他の一辺先端部にレバーピン孔を設けレバーピン１８を固着し先端を対向側へ突出し、鍔付き形状のカラーリング６６を回動可能に取り付け、プッシュリンク６１の側方に設けたリンク孔６５に回動可能にはめ込む。
プッシュリンク６１はコの字型形状で接続辺を上部にして両辺を左右下向きに配置し、接続辺下面にバネ座６２を設け、両辺の上部側に蓋リンク孔６３と下部側に前記リンク孔６５を設けている。
プッシュリンク６１はポンプヘッド５５上面の座孔５７に設置したバネ５８で上辺のバネ座６２を支持され、左右両辺下部を容器支持アー厶２６の左右に凹形状に設けたリンクガイド２９部に案内され上下に作動できる。
プッシュリンク６１の蓋リンク孔６３に鍔付き形状の蓋カラーリング６４を回動可能にはめ込み、蓋アーム７３の先端部に設けた蓋ピン孔７６に蓋ピン７７をを固着し先端を対向側へ突出し、蓋カラーリング６４を回動可能に支持する。
蓋７１の下面部で気化室２２の上部位置に気化室を密閉できる発香器パッキン７２を取り付けて、蓋７１の背面側に蓋アーム７３を延長して設け、延長中間部に蓋支点孔７４と先端部に前記蓋ピン孔７６を設ける。
発香器２１の背面側にブロック支点孔７８を持つ支点ブロック７９を固着し、ブロック支点孔７８に蓋支点孔７４位置を合わせ蓋支点軸７５で蓋７１を揺動可能に取り付ける。
形状記憶合金コイル１に制御部８２から電力を加え、形状記憶合金コイル自己内部抵抗で発熱させ、温度センサ５により発熱温度をセンシングしつつ、昇温時形状記憶変態温度以上の設定温度に制御してコイルを伸長させる。また、通電を停止してコイルを放熱させると、形状記憶合金コイル１の温度下降時の形状記憶変態温度以下に達してコイルは急速に縮小する。
形状記憶合金コイル１の発熱温度を制御して保持すると、コイル温度が絶縁層２３ａを経て発香器の下部に伝熱され、次第に気化室２２底部から側壁へ伝搬され、香料を含んで気化室２２底部に設置された薄厚のシート３４を加熱し、香料が気化される。
形状記憶合金コイル１の発熱温度をセンサー５によりセンシングし、制御部８２でコントロールして香料の気化量を変化させることができる。
制御部からの供給電力制御で形状記憶合金コイル１を作動して、香りの発生と停止及び香りの発香量調節並びに香料の気化室への補給等の動作を一元的に行うことができる。
【発明の効果】
【００７】  本発明を使用することにより、香りの発生量の調節および香りの放出・停止と発香器への香料の補給などを形状記憶合金コイルへの電力の供給制御のみで簡便に行うことができる。
形状記憶合金による作動であり、作動音を発することなく素早い香りの供給ができる。
制御部で香りの発生量を容易に経時変化させることができ、香りの揺らぎ効果を活用し人の香り関知能力を持続することができる。
香りを制御する機構が簡素化され、低価格で提供できる。
香り発生量の調節ができ、香りの立ち上がりが早いので、複数の香り発生器を設置操作して香種を変更するなどにより、香り環境に変化を与えることが容易にできるので、香りの効果的活用範囲を拡げることができる。
【図面の簡単な説明】
【図１】図１（ａ）本発明の香り発生器に用いる形状記憶合金コイルとその支持部と接続端子及び作動ロッドの要部拡大図で一部断面図を含み、形状記憶合金コイルが低温時で縮小作動した状態を示す。図１（ｂ）は、図１（ａ）のＡ−Ａ’矢視図を示す。図１（ｃ）は、図１（ａ）のＢ−Ｂ’矢視図を示す。
【図２】形状記憶合金コイルとその支持部と接続端子及び作動ロッドの要部拡大図で一部断面図を含み、形状記憶合金コイルが高温となり伸長作動した状態を示す。
【図３】形状記憶合金コイルと装着部の発香器要部断面拡大図を（ａ）、（ｂ）に示す。図３（ａ）は低温時で形状記憶合金コイルが縮小状態となり香りの発生を停止している状態の作動を示す。図３（ｂ）は高温時で形状記憶合金コイルが伸長状態となり香りを発生している状態の作動を示す。
【図４】本発明の香発生器の正面図で、発香器の蓋を閉止し香りの発生を停止している状態を示す。
【図５】本発明の香発生器の左側面図で、発香器の蓋を閉止し香り発生を停止している状態を示す。
【図６】本発明の香発生器の左側面図で、発香器の蓋を開放し香り発生状態を示す。
【図７】香発生器の背面図で、発香器の蓋閉止状態を示す。
【図８】図８は、本発明の香発生器の平面図で、発香器の蓋閉止状態を示す。
【図９】図９は、発香器部と補給ポンプ部の要部の分解図で、分かりやすく表現するため要部断面図と斜視図を加え、組立の関係を矢印で関連づけ図示している。
【図１０】図１０は、図９の構成部品と形状記憶合金コイルと香料容器など主要部品の要部断面組立図である。
【図１１】発香器の平面図である。
【図１２】図１２は、図１１のＣ−Ｃ’矢視図で発香器単体の正面図である。
【図１３】図１３は、図１１のＤ−Ｄ’矢視図で発香器単体の背面図である。
【符号の説明】
１  形状記憶合金コイル
２  通電端子
３．通電端子
４  センサベース
５  温度センサー
７  ロッド
１１  レバー
１３  支点ピン
１６  ロッドピン
２１  発香器
２２  気化室
２３  加熱穴
２３ａ  絶縁層
２６  容器支持アーム
３１  オーバーフロー孔
３４  シート
４１  ジョイント
５１  キャップ
５２  香料容器
５３  ポンプユニット
５５  ポンプヘッド
６１  プッシュリンク
７１  蓋
７３  蓋アーム
７９  支点ブロック
【図１】
2005034585.tif 000003
【図２】
2005034585.tif 000004
【図３】
2005034585.tif 000005
【図４】
2005034585.tif 000006
【図５】
2005034585.tif 000007
【図６】
2005034585.tif 000008
【図７】
2005034585.tif 000009
【図８】
2005034585.tif 000010
【図９】
2005034585.tif 000011
【図１０】
2005034585.tif 000012
【図１１】
2005034585.tif 000013
【図１２】
2005034585.tif 000014
【図１３】
2005034585.tif 000015